(57)【要約】      （修正有）【課題】手軽な手段で膝関節障害の一因となる「脛骨の過度な外旋・内旋」、「膝関節や腓骨への過重」、「足底筋膜の疲労」の抑制・軽減・緩和といった膝痛軽減・防止等を担える簡便な装具を提供する。【解決手段】伸縮性のあるベルト１の両端をリング状にし、その一端を足に架け、脚にベルトを螺旋状に巻き上げながら股間を経由してもう一端を肩に架け使用するもので、肩側のリングはその大きさを変える事でベルトの長さを調整できるバックル２，３を結束部に配し、ベルトの牽引力を調整可能として膝用簡易保護矯正具を構成する。【選択図】図１
0003152129.tif 000002
【実用新案登録請求の範囲】
【請求項１】
伸縮性のあるベルトの両端をリング状にし、その一端を足に架け、脚にベルトを螺旋状に巻上げながら股間を経由してもう一端を肩に架け使用するもので、肩側のリングはその大きさを変える事で本考案ベルトの長さを調整できるバックルを結束部に配し、ベルトの牽引力を調整可能とする形状の膝用簡易保護矯正具。
【考案の詳細な説明】
【技術分野】
【０００１】
本考案は、下肢の筋力不足やその疲労を補い、膝関節への負荷緩和とその稼動域の矯正によって、膝関節痛の予防・回復を図る膝用簡易保護矯正具に関するものである。
【背景技術】
【０００２】
メタボリック症候群、いわゆる「メタボ」と称される方々が、その改善を目して歩行やジョギングを始める場合、筋力不足と過負荷によって筋肉疲労から膝関節を痛めてしまうケースが多い。
【０００３】
そうした事態を回避・予防する装具としては、伸縮素材を用い筒状あるいは包状に患部に着けるいわゆるサポーターや、伸縮性の異なる生地を組み合わせて下肢筋の補助と稼動域を補正するスパッツやスイムウェアータイプの着衣がある。
【０００４】
しかし、健康回復を図る方々にとっては、サポーターの類では靭帯や腱の簡単補強程度で、スパッツやスイムウェアータイプの着衣は各構造態に応じた下肢の稼動制限や補強といった効果が期待できるが、競技者を対象に開発されているだけに、手軽さ等の面で本考案が対象とする「メタボ」な方々の利用目的に叶わない。
【先行技術文献】
【特許文献】
【０００５】
【特許文献１】特許公開２００６−２２３８４５
【特許文献２】特許公開２００５−１６０９８２
【非特許文献】
【０００６】
【非特許文献１】五味雅吉著  「腰痛我慢すれば悪くなる」  青春出版社
【非特許文献２】鹿倉二郎著  「ひとりで巻けるテーピング・マスターBOOK」  永岡書店
【考案の概要】
【考案が解決しようとする課題】
【０００７】
本考案が解決しようとする課題は、筋力不足・過体重及びそれに伴う疲労等によって耐力を越え、その過負荷が膝関節痛へとつながる問題点（「脛骨の過度な外旋・内旋」、「膝関節や腓骨への過重」、「足底筋膜の疲労」）の抑制・軽減・緩和といった膝痛軽減・防止等を担える簡便な装具を提供することにある。
【課題を解決するための手段】
【０００８】
本考案は、伸縮性のあるベルト（ゴム製の平ロープ等）を下肢に螺旋状（図１参照）に巻き、その両端をリング状にして一方を足に架け、他方を股間から引き上げ肩に架ける構造によって課題の解決を図る。
【０００９】
巻き方には「内巻き」と「外巻き」（図１参照）があり、「内巻き」に巻き上げれば伸展時の過外旋を抑制し、「外巻き」に巻き上げれば伸展時の過内旋を抑制して、関節痛の一因となる脛骨の旋回する癖（左右どちらかの脚にいずれかの癖を持つ方が多い）を抑制する。
【００１０】
下肢に巻きつける回数（大腿筋の疲労軽減を主とすれば、補強脛骨部位に一巻き、大腿骨部位に二巻きし、腓骨の補強等下腿部の疲労軽減を主とすれば、脛骨部位に一巻き・大腿骨部位に一巻きする等して利用）や締付け具合はベルト長を調節して利用する。
【００１１】
ベルト長調節は、ベルトの肩側に取り付けてある結束用のプラスチック製バックル（図１の符号２）の位置をずらし（バックルのメス側はベルトの先端に固定、オス側はベルトの途中にくぐらせて位置変動可）、バックル結束でできたリングの大きさを可変する事で、足から肩までのバンド長を調節し下肢の締め付け具合（ベルトの巻く位置や回数、締め具合）を調整、足から肩まで螺旋状に巻き上げたベルトが膝関節を牽引して、膝関節への負荷軽減や膠着緩和を図る。
【００１２】
又、足に架けるリングも、その結束部ベルトにいくつかの孔を設け、組ねじによる留め位置を替えることでリングのサイズを調整し、適度なサイズで足の中ほどに架けた足部ベルトは、本体ベルトを引き留めると同時に足底筋膜を引上げ、足底の縦アーチを補佐して膝への負荷を緩和する。
【００１３】
又、本考案の使用時の利便性に配慮して、足部リングと本体側ベルトを結束・取外しできるようバックル（図１の符号３）を取付け（足部リング側はバックルのオス側、本体ベルト側にはバックルのメス側を使用し、取り付け方法も足部リング同様の手法を採用）、肩側ベルトだけでなく足元側ベルトでも本考案ベルト長の調整を幾分可能にした。
【考案の効果】
【００１４】
本考案を螺旋状に巻く事で腓骨の負荷を軽減するとともに、脛骨の内旋緩和・Ｘ脚改善（図１参考、外巻）・外旋緩和・Ｏ脚改善（図１参照、内巻）で、膝関節の自然な稼動保持が期待できる。
【００１５】
又、膝の伸展・屈曲に応じた下肢の血行促進・筋肉疲労軽減、膝関節を牽引する効果もあって膝の痛みや膠着緩和が期待できる。
【００１６】
又、足に架けたリング部は着地時の衝撃を吸収する足裏のアーチ（足底筋膜等の機能）の補佐機能を兼ね、膝への負荷軽減が期待できる。
【図面の簡単な説明】
【００１７】
【図１】図１は本考案の装着方法を示す正面及び右側面図を示し、説明用の符号を配したものである。
【考案を実施するための形態】
【００１８】
図１正面図及び右側面図の右脚部（外巻き）は脛骨の過内旋傾向を緩和するベルトの巻き方で、足に架けたベルトが外側くるぶしを経由して脛骨の外側を螺旋状に巻き上がり、正面から膝蓋骨の下方を経由、大腿骨部を二回り（ベルトを巻く回数はベルト長により一回りでもよく、利用者の調整による）して、股間を前方に抜け、そのまま右肩へベルトを架ける。
【００１９】
ジョギングなどの際には、適当な紐等でベルトと反対側の脇と肩に架けたベルトを図１の符号６のように固定する。左右2本のベルトを使用する場合は図１の符号７のように固定する。
【００２０】
図１正面の左脚部（内巻き）は脛骨の外旋傾向を抑制するベルトの巻き方で、足に架けたベルトが内側くるぶしを経由して脛骨の内側を螺旋状に巻き上がり、正面から膝蓋骨の下方を経由、大腿骨部を二回り（ベルトを巻く回数はベルト長により一回りでもよく、利用者の調整による）して、股間を後方に抜け、そのまま左肩へベルトを架ける
【実施例１】
【００２１】
図１正面図のように一方は内巻、もう一方は外巻にする状況はほとんどなく、実際には痛みや違和感のある片膝にベルトを使用するだけでよい。
【００２２】
症状が改善されジョギングなどの運動を続ける際には、本考案を左右対称に使用し各ベルトの長さ調整で伸張圧を調整し整体バランスを整える事が好ましい。
【産業上の利用可能性】
【００２３】
「メタボ」「アンチエイジ」という言葉も耳慣れした昨今、ウォーキングやジョギングと、運動に縁遠かった方がいきなり過度な運動を始めると、ダイエットと引き換えに腰や膝の不調を引き起こしやすい。本考案はそうした頼りない下肢筋を支え、膝関節を保護・矯正しバランスのいい歩行からランニング、体幹バランスのいい健康な体作りに寄与する装具として利用可能性を持っている。
【符号の説明】
【００２４】
１    本考案ベルト（破線は体の裏側を経由している事をしめす）
２    結束バックル（雌側は組みねじで固定、雄側はベルトに通し位置の可変可能）
３    結束バックル（雌側・雌側共に組みねじの留位置を替える事で固定位置可変可能）
４    組ねじ（バックルの位置固定や足部のリング固定に使用）
５    膝蓋骨
６    肩側ベルト固定用紐（本考案ベルトを１本使用する場合）
７    肩側ベルト固定用紐（本考案ベルトを２本使用する場合）
【図１】
0003152129.tif 000003
【手続補正書】
【提出日】平成21年5月20日(2009.5.20)
【手続補正１】
【補正対象書類名】実用新案登録請求の範囲
【補正対象項目名】請求項１
【補正方法】変更
【補正の内容】
【請求項１】
伸縮性のあるベルトの両端をリング状にし、その一端を足に架け、脚にベルトを螺旋状に巻上げながら股間を経由してもう一端を肩に架け使用するもので、肩側のリングはその大きさを変える事で本考案ベルトの長さを調整できる結束バックルを配し、ベルトの牽引力を調整可能とする形状の膝用簡易保護矯正具。